(57)【要約】【課題】再生制限情報を含むコンテンツの存在を示すコンテンツ情報の出力制御に優れた情報出力装置を提供すること。【解決手段】実施形態の情報出力装置は、設定手段と、検出手段と、情報出力制御手段とを備える。前記設定手段は、第１の年齢未満の視聴を制限する第１の制限情報を設定する。前記検出手段は、コンテンツから第２の年齢未満の視聴を制限する第２の制限情報を検出する。前記情報出力制限手段は、前記第１及び第２の制限情報に基づき、前記コンテンツの存在を示すコンテンツ情報の出力を制限する。【選択図】図２
2012089952.tif 000002
【特許請求の範囲】
【請求項１】
第１の年齢未満の視聴を制限する第１の制限情報を設定する設定手段と、
コンテンツから第２の年齢未満の視聴を制限する第２の制限情報を検出する検出手段と、
前記第１及び第２の制限情報に基づき、前記コンテンツの存在を示すコンテンツ情報の出力を制限する情報出力制限手段と、
を備えた情報出力装置。
【請求項２】
前記情報出力制限手段は、前記第２の年齢が前記第１の年齢を超える場合、前記コンテンツ情報を含まない第１のコンテンツリストを出力する請求項１に記載の情報出力装置。
【請求項３】
前記情報出力制限手段は、前記第２の年齢が前記第１の年齢を超えない場合、前記コンテンツ情報を含む第２のコンテンツリストを出力する請求項２に記載の情報出力装置。
【請求項４】
前記第２のコンテンツリストに含まれた前記コンテンツ情報の選択に対応して前記コンテンツを再生する再生手段を備えた請求項３に記載の情報出力装置。
【請求項５】
情報出力制限を解除するための第１の解除情報を登録する登録手段と、
第２の解除情報を入力する入力手段と、
を備え、
前記情報出力制限手段は、前記第１及び第２の解除情報の一致に基づき、前記コンテンツ情報の出力の制限を解除し、前記第２のコンテンツリストを出力する請求項３又は４に記載の情報出力装置。
【請求項６】
前記情報出力制限手段は、前記第１及び第２の解除情報の一致に基づき、所定時間にわたり、前記第２のコンテンツリストを出力し、所定時間経過後、前記第２のコンテンツリストの出力を停止し、前記第１のコンテンツ情報を出力する請求項５に記載の情報出力装置。
【請求項７】
前記情報出力制限手段は、前記第１及び第２の解除情報の一致に基づき、前記第２のコンテンツリストを出力し、リスト情報の出力停止指示に対応して、前記第２のコンテンツリストの出力を停止し、前記リスト情報の出力停止後の前記リスト情報の出力指示に対応して、前記第１のコンテンツリストを出力する請求項５又は６に記載の情報出力装置。
【請求項８】
前記情報出力制限手段は、前記第１及び第２の解除情報の一致に基づき、前記第２のコンテンツリストを出力し、前記第２のコンテンツリストに含まれた前記コンテンツ情報の選択に対応した前記コンテンツの再生後のリスト情報の出力指示に対応して、前記第１のコンテンツリストを出力する請求項５乃至７の何れか１項に記載の情報出力装置。
【請求項９】
前記第１又は第２のコンテンツリストを表示する表示手段を備えた請求項３乃至８の何れか１項に記載の情報出力装置。
【請求項１０】
受信信号に基づき前記コンテンツを記録する記録手段を備えた請求項１乃至９の何れか１項に記載の情報出力装置。
【請求項１１】
第１の年齢未満の視聴を制限する第１の制限情報を設定し、
コンテンツから第２の年齢未満の視聴を制限する第２の制限情報を検出し、
前記第１及び第２の制限情報に基づき、前記コンテンツの存在を示すコンテンツ情報の出力を制限する情報出力方法。
【発明の詳細な説明】
【技術分野】
【０００１】
本発明の実施形態は、情報出力装置及び情報出力方法に関する。
【背景技術】
【０００２】
近年、衛星放送等により提供されるコンテンツ、及びネットワークを介して配信されるコンテンツなどを記録可能なレコーダが普及している。また、近年では、上記コンテンツを記録可能なデジタルテレビジョン放送受信装置も登場している。
【０００３】
上記したように、様々なコンテンツが提供されているが、提供されるコンテンツの中には、性的表現又は暴力的表現を含む有害コンテンツも存在している。例えば、有害コンテンツは、再生制限情報（パレンタルロック）を含む。例えば、コンテンツ再生装置は、有害コンテンツから再生制限情報を検出すると、パスワード入力を要求する。コンテンツ再生装置は、事前に登録された登録パスワードと、前記要求に対応して入力される入力パスワードとが一致することを条件として、有害コンテンツの再生を許可し、有害コンテンツを再生する。
【０００４】
このようにして、コンテンツ再生装置は、有害コンテンツの再生を制限している。他にも、様々な手法により、有害コンテンツの再生を制限する技術が提案されている。
【先行技術文献】
【特許文献】
【０００５】
【特許文献１】特開２０１０−９８５２８号公報
【発明の概要】
【発明が解決しようとする課題】
【０００６】
例えば、上記コンテンツ再生装置は、有害コンテンツを含むコンテンツリストを表示してしまう。上記コンテンツ再生装置は、パスワードにより有害コンテンツの再生を制限しているとしても、有害コンテンツの存在を知らせてしまう。有害コンテンツを管理する立場のユーザは、他人に有害コンテンツの存在を知られたくない場合に、不便であった。
【０００７】
本発明の目的は、再生制限情報を含むコンテンツの存在を示すコンテンツ情報の出力制御に優れた情報出力装置及び情報出力方法を提供することにある。
【課題を解決するための手段】
【０００８】
実施形態の情報出力装置は、設定手段と、検出手段と、情報出力制御手段とを備える。前記設定手段は、第１の年齢未満の視聴を制限する第１の制限情報を設定する。前記検出手段は、コンテンツから第２の年齢未満の視聴を制限する第２の制限情報を検出する。前記情報出力制限手段は、前記第１及び第２の制限情報に基づき、前記コンテンツの存在を示すコンテンツ情報の出力を制限する。
【図面の簡単な説明】
【０００９】
【図１】図１は、第１及び第２の実施形態に共通のデジタルテレビジョン放送受信装置（情報出力装置）の構成の一例を示す図である。
【図２】第１の実施形態に係る情報出力制御の一例を説明するフローチャートである。
【図３】第２の実施形態に係る情報出力制御の一例を説明するフローチャートである。
【図４】コンテンツリストの表示例を示す図である。
【図５】コンテンツリストの表示例を示す図である。
【図６】コンテンツリストの表示例を示す図である。
【発明を実施するための形態】
【００１０】
以下、第１及び第２の実施形態について図面を参照して説明する。
【００１１】
図１は、第１及び第２の実施形態に共通のデジタルテレビジョン放送受信装置（情報出力装置）の構成の一例を示す図である。第１及び第２の実施形態では、デジタルテレビジョン放送受信装置による情報出力制御について説明する。しかしながら、デジタルテレビジョン放送受信装置による情報出力制御に限定されるものではない。各種のレコーダ及びプレイヤーにより以下説明する情報出力制御を実現することも可能である。各種のレコーダ及びプレイヤーとは、例えば、ＨＤＤレコーダ、ＢＤ（Blu-ray）（登録商標）プレイヤー、ＢＤレコーダ、ＤＶＤプレイヤー、ＤＶＤレコーダ等である。
【００１２】
図１を参照して、デジタルテレビジョン放送受信装置１００について説明する。図１に示すように、ＢＳ／ＣＳデジタル放送受信用のアンテナ４７で受信した衛星デジタルテレビジョン放送信号は、入力端子４８を介して衛星デジタル放送用のチューナ４９に供給され、チューナ４９は、指定されたチャンネルの放送信号を選択する。
【００１３】
そして、このチューナ４９で選択された放送信号は、ＰＳＫ（phase shift keying）復調モジュール５０に供給されて、デジタルの映像信号及び音声信号に復調された後、信号処理モジュール５１に出力される。
【００１４】
また、地上波放送受信用のアンテナ５２で受信した地上デジタルテレビジョン放送信号は、入力端子５３を介して地上デジタル放送用のチューナ５４に供給され、チューナ５４は、指定されたチャンネルの放送信号を選択する。
【００１５】
そして、このチューナ５４で選択された放送信号は、ＯＦＤＭ（orthogonal frequency division multiplexing）復調モジュール５５に供給されて、デジタルの映像信号及び音声信号に復調された後、上記信号処理モジュール５１に出力される。
【００１６】
また、上記地上波放送受信用のアンテナ５２で受信した地上アナログテレビジョン放送信号は、入力端子５３を介して地上アナログ放送用のチューナ５６に供給され、チューナ５６は指定されたチャンネルの放送信号を選択する。そして、このチューナ５６で選択された放送信号は、アナログ復調モジュール５７に供給されてアナログの映像信号及び音声信号に復調された後、上記信号処理モジュール５１に出力される。
【００１７】
ここで、上記信号処理モジュール５１は、ＰＳＫ復調モジュール５０及びＯＦＤＭ復調モジュール５５からそれぞれ供給されたデジタルの映像信号及び音声信号に対して、選択的に所定のデジタル信号処理を施し、グラフィック処理モジュール５８及び音声処理モジュール５９に出力している。
【００１８】
また、上記信号処理モジュール５１には、複数（図示の場合は４つ）の入力端子６０ａ，６０ｂ，６０ｃ，６０ｄが接続されている。これら入力端子６０ａ〜６０ｄは、それぞれ、アナログの映像信号及び音声信号を、デジタルテレビジョン放送受信装置１００の外部から入力可能とするものである。
【００１９】
そして、この信号処理モジュール５１は、上記アナログ復調モジュール５７及び各入力端子６０ａ〜６０ｄからそれぞれ供給されたアナログの映像信号及び音声信号を選択的にデジタル化し、そのデジタル化された映像信号及び音声信号に対して所定のデジタル信号処理を施した後、グラフィック処理モジュール５８及び音声処理モジュール５９に出力している。
【００２０】
このうち、グラフィック処理モジュール５８は、信号処理モジュール５１から供給されるデジタルの映像信号に、ＯＳＤ（on screen display）信号生成モジュール６１で生成されるＯＳＤ信号を重畳して出力する機能を有する。このグラフィック処理モジュール５８は、信号処理モジュール５１の出力映像信号と、ＯＳＤ信号生成モジュール６１の出力ＯＳＤ信号とを選択的に出力すること、また、両出力を組み合わせて出力することができる。
【００２１】
そして、グラフィック処理モジュール５８から出力されたデジタルの映像信号は、映像処理モジュール６２に供給される。映像処理モジュール６２により処理された映像信号は、映像表示部１４に供給され、また出力端子６３にも供給される。映像表示部１４は、映像信号に基づく映像を表示し、出力端子６３に対して外部機器が接続されると、出力端子６３に供給された映像信号は、外部機器へ入力される。
【００２２】
また、上記音声処理モジュール５９は、入力されたデジタルの音声信号を、前記スピーカ１５で再生可能なアナログ音声信号に変換した後、スピーカ１５に出力して音声出力させるとともに、出力端子６４を介して外部に導出させる。
【００２３】
なお、デジタルテレビジョン放送受像装置１００の制御モジュール６５が、上記した信号処理等を含む全ての処理及び動作を統括的に制御する。制御モジュール６５は、ＣＰＵ（central processing unit）等により構成されている。制御モジュール６５は、操作部１６からの操作情報、または、前記リモートコントローラ１７から送出され受光部１８を介して受信した操作情報に基づき、操作内容が反映されるように各モジュールをそれぞれ制御している。
【００２４】
この場合、制御モジュール６５は、主として、ＣＰＵが実行する制御プログラムを格納したＲＯＭ（read only memory）６６と、ＣＰＵに作業エリアを提供するＲＡＭ（random access memory）６７と、各種の設定情報及び制御情報等が格納される不揮発性メモリ６８とを利用している。
【００２５】
また、この制御モジュール６５は、カードＩ／Ｆ（interface）６９を介して、メモリカード１９が装着可能なカードホルダ７０に接続されている。これによって、制御モジュール６５は、カードホルダ７０に装着されたメモリカード１９と、カードＩ／Ｆ６９を介して情報伝送を行なうことができる。
【００２６】
また、上記制御モジュール６５は、通信Ｉ／Ｆ７３を介してＬＡＮ端子２１と接続されている。これにより、制御モジュール６５は、ＬＡＮ端子２１に接続されたＬＡＮケーブル、及び通信Ｉ／Ｆ７３を介して情報を送受信することができる。例えば、制御モジュール６５は、ＬＡＮケーブル及び通信Ｉ／Ｆ７３を介して、サーバから配信されるコンテンツを受信することができる。
【００２７】
さらに、上記制御モジュール６５は、ＨＤＭＩ Ｉ／Ｆ７４を介してＨＤＭＩ端子２２と接続されている。これにより、制御モジュール６５は、ＨＤＭＩ端子２２に接続されたＨＤＭＩ対応機器と、ＨＤＭＩ Ｉ／Ｆ７４を介して情報伝送を行なうことができる。
【００２８】
さらに、上記制御モジュール６５は、ＵＳＢ Ｉ／Ｆ７６を介してＵＳＢ端子２４と接続されている。これにより、制御モジュール６５は、ＵＳＢ端子２４に接続されたＵＳＢ対応機器と、ＵＳＢ Ｉ／Ｆ７６を介して情報伝送を行なうことができる。
【００２９】
さらに、上記制御モジュール６５は、不揮発性メモリ６８に記憶された録画予約リストに含まれた録画予約情報を参照し、受信信号に基づくコンテンツの録画動作を制御する。録画先としては、例えば内蔵ＨＤＤ１０１、ＵＳＢ−ＨＤＤ１０２がある。
【００３０】
さらに、上記制御モジュール６５は、明るさセンサー７１からの明るさ検出レベルに基づき、映像表示部１４のバックライトの明るさを制御する。また、上記制御モジュール６５は、カメラ７２からの動画情報に基づき、映像表示部１４の対向位置のユーザ有無を判定し、映像表示部１４の映像をオン／オフ制御する。
【００３１】
次に、デジタルテレビジョン放送受像装置１００による再生制御情報を含むコンテンツの存在を示すコンテンツ情報の情報出力制御の一例について説明する。例えば、コンテンツ情報は、コンテンツのタイトル及びコンテンツの再生時間等の情報を含む表示項目である。
【００３２】
（第１の実施形態）
図２に示すフローチャートを参照し、第１の実施形態について説明する。
【００３３】
例えば、コンテンツは、チューナ４９、５４、又は通信Ｉ／Ｆ７３を介して受信されたコンテンツである。また、コンテンツは、コンテンツに対して設定された再生制御情報（パレンタル情報）を含むとする。
【００３４】
ユーザは、操作モジュール１６又はリモートコントローラ１７を介して、年齢制限情報（以下、第１の年齢制限情報と称する）を入力することができ、操作モジュール１６又はリモートコントローラ１７は、第１の年齢制限情報の入力に対応して、第１の年齢制限情報を設定する（ＳＴ１０１）。第１の年齢制限情報は、第１の年齢未満の視聴を制限するための情報である。例えば、不揮発性メモリ６８は、設定された第１の年齢制限情報を記憶する。
【００３５】
なお、不揮発性メモリ６８は、事前に設定された登録パスワードを記憶し、第１の年齢制限情報の入力及び変更の要求に対応して、制御モジュール６５は、パスワードの入力を要求する。これに対応して、ユーザは、操作モジュール１６又はリモートコントローラ１７を介して、パスワードを入力し、制御モジュール６５は、登録パスワードと入力パスワードとが一致することを条件として、第１の年齢制限情報の入力及び変更を許可し、新規の第１の年齢制限情報を設定したり、設定された第１の年齢制御情報を変更したりする。
【００３６】
続いて、ユーザは、操作モジュール１６又はリモートコントローラ１７を介して、例えば、内蔵ＨＤＤ１０１に記憶された複数コンテンツのリスト表示を要求することができる。例えば、ユーザが、操作モジュール１６又はリモートコントローラ１７を介して、コンテンツリスト表示を要求すると、制御モジュール６５は、内蔵ＨＤＤ１０１に記憶された各コンテンツ（以下、説明を分かりやすくするために第１、第２、第３のコンテンツと称する）に含まれた再生制御情報に基づき、コンテンツリストの出力制御（表示制御）を実行する。
【００３７】
制御モジュール６５は、コンテンツリスト表示の要求を受けて（ＳＴ１０２）、第１のコンテンツから第１の再生制御情報を検出し、第２のコンテンツから第２の再生制御情報を検出し、第３のコンテンツから第３の再生制御情報を検出する。さらに、制御モジュール６５は、第１の再生制御情報から第１のコンテンツに設定された第２の年齢制限情報を検出し、第２の再生制御情報から第２のコンテンツに設定された第３の年齢制限情報を検出し、第３の再生制御情報から第３のコンテンツに設定された第４の年齢制限情報を検出する（ＳＴ１０３、ＹＥＳ）。制御モジュール６５は、設定された第１の年齢制限情報と、検出された第２、第３、第４の年齢制限情報とに基づき、コンテンツリストの出力（表示）を制限する。なお、第２の年齢制限情報は、第２の年齢未満の視聴を制限するための情報であり、第３の年齢制限情報は、第３の年齢未満の視聴を制限するための情報であり、第４の年齢制限情報は、第４の年齢未満の視聴を制限するための情報である。
【００３８】
例えば、制御モジュール６５は、第２の年齢制限情報の第２の年齢が第１の年齢制限情報の第１の年齢を超え、第３の年齢制限情報の第３の年齢が第１の年齢制限情報の第１の年齢を超え、第４の年齢制限情報の第４の年齢が第１の年齢制限情報の第１の年齢を超える場合（ＳＴ１０４、ＹＥＳ）、第１、第２、第３のコンテンツの存在を示す第１、第２、第３のコンテンツ情報を含まない第１のコンテンツリストを出力する（ＳＴ１０５）。これに対応して、映像表示部１４は、第１のコンテンツリストを表示する（図４参照）。なお、第１のコンテンツリストは、非表示条件に該当する第１、第２、第３のコンテンツ情報を含まないコンテンツリストである。
【００３９】
ユーザは、操作モジュール１６又はリモートコントローラ１７を介して、例えば、第１のコンテンツリストに含まれたコンテンツ情報を選択すると、制御モジュール６５は、選択されたコンテンツ情報に対応するコンテンツの再生を開始し、映像表示部１４は、選択されたコンテンツ情報に対応するコンテンツの映像を表示する。つまり、ユーザは、第１のコンテンツリストから、第１、第２、第３のコンテンツの再生を指示することはできないし、第１、第２、第３のコンテンツの存在を知ることもできない。
【００４０】
また、制御モジュール６５は、第２の年齢制限情報の第２の年齢が第１の年齢制限情報の第１の年齢を超えず、第３の年齢制限情報の第３の年齢が第１の年齢制限情報の第１の年齢を超えず、第４の年齢制限情報の第４の年齢が第１の年齢制限情報の第１の年齢を超えない場合（ＳＴ１０４、ＮＯ）、第１、第２、第３のコンテンツの存在を示す第１、第２、第３のコンテンツ情報を含む第２のコンテンツリストを出力する（ＳＴ１０６）。これに対応して、映像表示部１４は、第２のコンテンツリストを表示する（図５参照）。なお、第２のコンテンツリストは、全てのコンテンツ情報を含むコンテンツリストである。
【００４１】
ユーザは、操作モジュール１６又はリモートコントローラ１７を介して、例えば、第２のコンテンツリストに含まれた第１のコンテンツ情報を選択すると、制御モジュール６５は、選択された第１のコンテンツ情報に対応する第１のコンテンツの再生を開始し、映像表示部１４は、選択された第１のコンテンツ情報に対応する第１のコンテンツの映像を表示する。つまり、ユーザは、第２のコンテンツリストから、第１、第２、第３のコンテンツの再生を指示することができ、第１、第２、第３のコンテンツの存在を知ることもできる。
【００４２】
また、制御モジュール６５は、第２の年齢制限情報の第２の年齢が第１の年齢制限情報の第１の年齢を超え、第３の年齢制限情報の第３の年齢が第１の年齢制限情報の第１の年齢を超えず、第４の年齢制限情報の第４の年齢が第１の年齢制限情報の第１の年齢を超えない場合（ＳＴ１０４、ＹＥＳ）、第１のコンテンツの存在を示す第１のコンテンツ情報を含まず、第２、第３のコンテンツの存在を示す第２、第３のコンテンツ情報を含む第３のコンテンツリストを出力する（ＳＴ１０５）。これに対応して、映像表示部１４は、第３のコンテンツリストを表示する（図６参照）。なお、第３のコンテンツリストは、非表示条件に該当する第１のコンテンツ情報を含まないコンテンツリストである。
【００４３】
ユーザは、操作モジュール１６又はリモートコントローラ１７を介して、例えば、第３のコンテンツリストに含まれた第２のコンテンツ情報を選択すると、制御モジュール６５は、選択された第２のコンテンツ情報に対応する第２のコンテンツの再生を開始し、映像表示部１４は、選択された第２のコンテンツ情報に対応する第２のコンテンツの映像を表示する。つまり、ユーザは、第３のコンテンツリストから、第２、第３のコンテンツの再生を指示することができるし、第２、第３のコンテンツの存在を知ることもできるが、第１のコンテンツの再生を指示することはできないし、第１のコンテンツの存在を知ることもできない。
【００４４】
（第２の実施形態）
図３に示すフローチャートを参照し、第２の実施形態について説明する。
【００４５】
第２の実施形態では、第１の実施形態で説明したコンテンツリストの出力制限を解除するための解除パスワード（例えば暗証番号）を利用したコンテンツリストの出力制御（表示制御）について説明する。
【００４６】
不揮発性メモリ６８は、事前に設定された解除パスワードを記憶する。例えば、ユーザは、操作モジュール１６又はリモートコントローラ１７を介して、解除パスワードを入力し、制御モジュール６５は、事前に設定された解除パスワードと、入力された解除パスワードとが一致することを条件として、コンテンツリストの出力制限を解除又は一時的に解除する。なお、解除パスワードの入力のタイミングは、コンテンツリストの表示前であってもよいし、コンテンツリスト表示中であってもよい。
【００４７】
例えば、コンテンツリストの表示前に、解除パスワードが入力され、事前に設定された解除パスワードと、入力された解除パスワードとが一致している場合、制御モジュール６５は、コンテンツリスト表示の要求を受けて、第１、第２、第３のコンテンツの存在を示す第１、第２、第３のコンテンツ情報を含む第２のコンテンツリストを出力する。つまり、制御モジュール６５は、第２の年齢制限情報の第２の年齢が第１の年齢制限情報の第１の年齢を超え、第３の年齢制限情報の第３の年齢が第１の年齢制限情報の第１の年齢を超え、第４の年齢制限情報の第４の年齢が第１の年齢制限情報の第１の年齢を超える場合であっても、第２のコンテンツリストを出力する。これに対応して、映像表示部１４は、第２のコンテンツリストを表示する。
【００４８】
また、制御モジュール６５が、コンテンツリスト表示の要求を受けると（ＳＴ２０１、ＹＥＳ）、例えば、第１のコンテンツリストを表示する（ＳＴ２０２）。ここで、コンテンツリストの表示停止の指示がなく（ＳＴ２０３、ＹＥＳ）、解除パスワードが入力され（ＳＴ２０４）、事前に設定された解除パスワードと、入力された解除パスワードとが一致した場合には（ＳＴ２０５、ＹＥＳ）、制御モジュール６５は、第１のコンテンツリストの出力を停止し、替りに、第２のコンテンツリストを出力する。これに対応して、映像表示部１４は、第１のコンテンツリストの表示を停止し、替りに、第２のコンテンツリストを表示する（ＳＴ２０６）。
【００４９】
次に、コンテンツリストの出力制限を一時的に解除するケースについて説明する。つまり、コンテンツリストの出力制限の再開のタイミングについて説明する。
【００５０】
例えば、上記したように、第１のコンテンツリストの表示中に（ＳＴ２０２）、解除パスワードが入力され（ＳＴ２０４、ＹＥＳ）、事前に設定された解除パスワードと、入力された解除パスワードとが一致した場合には（ＳＴ２０５、ＹＥＳ）、制御モジュール６５は、第１のコンテンツリストの出力を停止し、替りに、第２のコンテンツリストを出力する。さらに、制御モジュール６５は、所定時間経過後に（ＳＴ２０７、ＹＥＳ）、出力制限を再開し、第２のコンテンツリストの出力を停止し、替りに、第１のコンテンツリストを出力する。これに対応して、映像表示部１４は、第１のコンテンツリストを表示し、次に、第１のコンテンツリストの表示を停止し、第２のコンテンツリストを表示し、所定時間経過後に、第２のコンテンツリストの表示を停止し、替りに、第１のコンテンツリストを表示する（ＳＴ２０２）。これにより、出力制限を一時解除したユーザが、映像表示部１４から離れ、所定時間経過後に、別のユーザが、映像表示部１４の画面を見ても、出力制限を一時解除したユーザが隠しておきたい第１のコンテンツ等の存在を別のユーザに知られることはない。
【００５１】
また、制御モジュール６５が、コンテンツリストの出力制限の一時的解除に基づき、第２のコンテンツリストを出力した後、ユーザが、操作モジュール１６又はリモートコントローラ１７を介して、コンテンツリストの出力停止を指示すると、制御モジュール６５は、第２のコンテンツリストの出力を停止し、しかも、コンテンツリストの出力制限を再開する。従って、この後、ユーザが、操作モジュール１６又はリモートコントローラ１７を介して、コンテンツリストの出力を指示すると、制御モジュール６５は、コンテンツリストの出力制限に基づき、例えば、第１のコンテンツリスト又は第３のコンテンツリストを出力する。これにより、出力制限を一時解除したユーザが、映像表示部１４から離れ、その後に、別のユーザが、コンテンツリストの出力を指示しても、第２のコンテンツリストが表示されることはなく、出力制限を一時解除したユーザが隠しておきたい第１のコンテンツ等の存在を別のユーザに知られることはない。
【００５２】
また、制御モジュール６５が、コンテンツリストの出力制限の一時的解除に基づき、第２のコンテンツリストを出力した後、ユーザが、操作モジュール１６又はリモートコントローラ１７を介して、第１のコンテンツリストの中から第１のコンテンツ情報を選択すると、制御モジュール６５は、第１のコンテンツの再生を開始する。その後、ユーザが、操作モジュール１６又はリモートコントローラ１７を介して、再生停止を指示すると、制御モジュール６５は、第１のコンテンツの再生を停止し、しかも、コンテンツリストの出力制限を再開する。従って、この後、ユーザが、操作モジュール１６又はリモートコントローラ１７を介して、コンテンツリストの出力を指示すると、制御モジュール６５は、コンテンツリストの出力制限に基づき、例えば、第１のコンテンツリスト又は第３のコンテンツリストを出力する。これにより、出力制限を一時解除したユーザが、隠しておきたい第１のコンテンツを再生し、再生を停止した後、映像表示部１４から離れ、その後に、別のユーザが、コンテンツリストの出力を指示しても、第２のコンテンツリストが表示されることはなく、出力制限を一時解除したユーザが隠しておきたい第１のコンテンツ等の存在を別のユーザに知られることはない。
【００５３】
以下、上記説明した第１の実施形態及び第２の実施形態についてまとめる。
【００５４】
近年、視聴年齢制限が設定された番組（例えばアダルトコンテンツ）が放送されている。また、視聴年齢制限番組をＬＡＮ経由で受信し記録するデジタルメディアサーバ（ＤＭＳ）機能を搭載したレコーダも増えている。レコーダは、記録された視聴年齢制限番組ををデジタルメディアプレイヤー（ＤＭＰ）機能で再生することができる。また、レコーダは、配信された複数のコンテンツのタイトルなどをリスト表示するための表示情報を出力することができる。これに対応して、ＴＶ等の表示部は、配信された複数のコンテンツのタイトルなどをリスト表示する。リスト表示の中から１コンテンツのタイトルが選択されると、レコーダは、選択されたタイトルに対応したコンテンツを再生する。しかしながら、１台のレコーダをユーザＡ、Ｂが使用する場合、ユーザＡが視聴年齢制限番組を記録し、ユーザＡは視聴年齢制限番組をユーザＢ（例えば子供）に見せたくないことがある。さらに言うと、ユーザＡは、視聴年齢制限番組の存在をユーザＢに見せたなくないことがある。つまり、ユーザＡは視聴年齢制限番組の存在通知を制限したい。
【００５５】
上記第１及び第２の実施形態で説明したデジタルテレビジョン放送受像装置１００は、サーバから配信されるコンテンツの再生やデジタルメディアコントローラ（ＤＭＣ）から指示されたコンテンツをサーバに問い合わせ再生する機能を備え、再生対象のコンテンツのストリーム中のパレンタル情報を取得し、事前に設定された視聴年齢制限と、取得したパレンタル情報に含まれた視聴年齢制限とを比較し、パレンタル情報に含まれた視聴年齢制限が、事前に設定された視聴年齢制限を超える場合、前記再生対象のコンテンツの存在を示すタイトルバーを含まないリストを表示する。言い換えればデジタルテレビジョン放送受像装置１００は、前記再生対象のコンテンツの存在を示すタイトルバーを非表示に制御する。
【００５６】
さらに、デジタルテレビジョン放送受像装置１００は、コンテンツリストの出力制限を解除するための解除パスワードの入力に対応して、出力制限を解除又は一時的に解除し、非表示に制御されたタイトルバーを表示又は一時的に表示することができる。つまり、ユーザは、解除パスワードを入力するだけで、非表示に制御されたタイトルバー等の表示を確認することができる。また、上記したように、デジタルテレビジョン放送受像装置１００は、出力制限を一時的に解除し、非表示に制御されたタイトルバーを一時的に表示することができるので、ユーザが出力制限の再開を希望するタイミングで、出力制限を再開し、非表示に制御すべきタイトルバーを再び非表示に制御することができる。これにより、ユーザが出力制限の再設定を忘れても、このユーザが隠しておきたいコンテンツの存在が別のユーザに知られることはない。
【００５７】
なお、上記したモジュールとは、ハードウェアで実現するものであっても良いし、ＣＰＵ等を使ってソフトウェアで実現するものであってもよい。
【００５８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５９】
１…デジタルテレビジョン放送受信装置、１４…映像表示部、１５…スピーカ、１６…操作部、１７…リモートコントローラ、１８…受光部、１９…メモリカード、２１…ＬＡＮ端子、２２…ＨＤＭＩ端子、２４…ＵＳＢ端子、４７…アンテナ、４８…入力端子、４９…チューナ、５０…ＰＳＫ復調モジュール、５１…信号処理モジュール、５２…アンテナ、５３…入力端子、５４…チューナ、５５…ＯＦＤＭ復調モジュール、５６…チューナ、５７…アナログ復調モジュール、５８…グラフィック処理モジュール、５９…音声処理モジュール、６０ａ〜６０ｄ…入力端子、６１…ＯＳＤ信号生成モジュール、６２…映像処理モジュール、６５…制御モジュール、６６…ＲＯＭ、６７…ＲＡＭ、６８…不揮発性メモリ、６９…カードＩ／Ｆ、７０…カードホルダ、７３…通信Ｉ／Ｆ、７４…ＨＤＭＩＩ／Ｆ、７６…ＵＳＢＩ／Ｆ、１０１…内蔵ＨＤＤ
【図１】
2012089952.tif 000003
【図２】
2012089952.tif 000004
【図３】
2012089952.tif 000005
【図４】
2012089952.tif 000006
【図５】
2012089952.tif 000007
【図６】
2012089952.tif 000008